(57)【要約】【課題】個々の乗客が連続して硬貨および整理券を投入口へ投入しても、正確なつり銭処理を可能とする。【解決手段】従来の運賃箱１の構成に記憶部１２を付加設置したので、投入口２に硬貨３と整理券４とが投入され（Ｓ１）、運賃箱１の作動が始まると、投入された硬貨枚数および整理券４の番号を記憶情報として、個々の乗客が硬貨３と整理券４とを投入する順に対応して、連続して記憶（Ｓ６）し、制御部１０が順次その記憶情報を読みとって処理していくので、つり銭払い出し装置８は、一定時間経過（Ｓ１０）毎に、個々の乗客が硬貨３と整理券４とを投入した順に、正確な金額のつり銭を排出する（Ｓ１１）。【選択図】          図２
2005010869.tif 000002
【特許請求の範囲】
【請求項１】
硬貨および整理券が投入される投入口と、
上記投入口に投入された整理券と硬貨とを分離する券銭分離器と、
上記分離された硬貨の金種を検知する硬貨センサーと、
上記整理券の番号を読み取る読み取り器と、
上記硬貨センサーによって検知された硬貨を計数する計数器と、
上記計数器によって計数された各種の硬貨枚数および上記読み取り機で読み取られた整理券の番号を記憶情報として記憶する記憶部と、
上記計数器によって計数された硬貨を収納する収納部を備え、かつ、つり銭を排出することができるつり銭払い出し装置と、
これらの機能を一括制御する制御部と、を備えた運賃箱であって、
上記記憶部は、上記記憶情報を、個々の乗客が硬貨および整理券を投入する順に対応して、連続して記憶していくことができることを特徴とする運賃箱。
【請求項２】
硬貨が投入される投入口と、
上記硬貨の金種を検知する硬貨センサーと、
上記硬貨センサーによって検知された硬貨を計数する計数器と、
上記計数器によって計数された各種の硬貨枚数を記憶情報として記憶する記憶部と、
上記計数器によって計数された硬貨を収納する収納部を備え、かつ、つり銭を排出することができるつり銭払い出し装置と、
これらの機能を一括制御する制御部と、を備えた運賃箱であって、
上記記憶部は、上記記憶情報を、個々の乗客が硬貨を投入する順に対応して、連続して記憶していくことができることを特徴とする運賃箱。
【請求項３】
上記制御部は、上記記憶部に記憶された記憶情報から算出される金額と乗車運賃とを比較し、つり銭が必要な場合には、上記つり銭払い出し装置がつり銭を排出する場合において、
上記記憶部に個々に連続して記憶された記憶情報に対応して算出されたつり銭を、前回のつり銭の排出が終了したことを検知した後、一定時間経過後に、次の排出をすることを特徴とする請求項１若しくは２に記載の運賃箱。
【請求項４】
つり銭を個々に順次排出している途中において、つり銭用種銭が不足した場合には、一旦排出を中断し、つり銭用種銭が貯まった時点から、つり銭の排出を再開させることを特徴とする請求項１、２若しくは３に記載の運賃箱。
【発明の詳細な説明】
【０００１】
【発明の属する技術分野】
この発明は、ワンマンバス、ワンマン電車などの車両に搭載され、乗車運賃が投入される運賃箱に関する。
【０００２】
【従来の技術】
例えば、通常のワンマンバスの運賃箱１においては、図８に示されるように投入口２に硬貨３と整理券４とが投入されると、券銭分離器５で硬貨３と整理券４とが分離され、分離された硬貨３は硬貨センサー６で１０円、１００円などの金種が検知され、計数器７で投入された金額が計数され、投入された硬貨３は、つり銭払い出し装置８内の金種別、種銭収納部に振り分け収納される。券銭分離器５で分離された整理券４は読み取り器９で読取られ、制御部１０において、その読み取られた番号と、現在の停留所とから運賃が求められ、その運賃と計数器７で計数された投入金額とを比較し、つり銭を出す必要があれば、制御部１０は、そのつり銭の金額に応じてつり銭払い出し装置８内の種銭収納部から必要な枚数の硬貨を取り出し、受皿１１へ排出させる。なお、均一運賃のワンマンバスにおいては、読み取り器９で整理券４の番号を読み取らない（読み取り器９が設置されていない場合を含む）ので、制御部１０は、一定の運賃と計数器７で計数された投入金額とを比較し、つり銭を出す必要があれば、そのつり銭の金額に応じてつり銭払い出し装置８内の種銭収納部から必要な枚数の硬貨を取り出し、受皿１１へ排出させる。
【０００３】
【特許文献】
特開平７−３７１３６号公報
【０００４】
【発明が解決しようとする課題】
以上のような運賃箱の作用においては、つり銭を出す必要があれば、そのつり銭の金額に応じてつり銭払い出し装置８内の種銭収納部から必要な枚数の硬貨を取り出し、受皿へ排出させるが、このつり銭の排出中に次の乗客が投入口に硬貨を投入すると、前回のつり銭を払い出しているため、前回のつり銭金額と、次の投入金額に対応するつり銭金額とを正確に排出することができなくなるという問題があった。すなわち、次の乗客によって投入された硬貨の一部または全部が、前回投入した硬貨として判別されると、この分だけ前回分のつり銭として多く排出され、次に投入された硬貨に対しては、正確な金額として判別されていないために、料金不足として判別されるか、または、本来排出されるべきつり銭金額よりも少ない金額がつり銭として排出されるという誤動作が生じていた。
【０００５】
このように、一人分のつり銭処理が完了しなければ、次の硬貨を正常に受け付けないのが従来の運賃箱であり、複数の乗客が硬貨および整理券を連続して投入した場合には、正確なつり銭処理機能が不可能となっていた。そこで、本発明の目的は、個々の乗客が連続して投入した場合においても、正確なつり銭処理を可能とし、さらに、硬貨および整理券の投入からつり銭排出に至る行程のスピードアップを図り、その結果、乗降車の際に要する時間を短縮させることができる運賃箱を提供することにある。
【０００６】
【課題を解決するための手段】
前記目的を達成するために、本発明のうちで請求項１に記載の発明の運賃箱は、
上記投入口に投入された整理券と硬貨とを分離する券銭分離器と、
上記分離された硬貨の金種を検知する硬貨センサーと、
上記整理券の番号を読み取る読み取り器と、
上記硬貨センサーによって検知された硬貨を計数する計数器と、
上記計数器によって計数された各種の硬貨枚数および上記読み取り機で読み取られた整理券の番号を記憶情報として記憶する記憶部と、
上記計数器によって計数された硬貨を収納する収納部を備え、かつ、つり銭を排出することができるつり銭払い出し装置と、
これらの機能を一括制御する制御部と、を備えた運賃箱であって、
上記記憶部は、上記記憶情報を、個々の乗客が硬貨および整理券を投入する順に対応して、連続して記憶していくことができることを特徴とする。
【０００７】
また、請求項２に記載の発明の運賃箱は、
硬貨が投入される投入口と、
上記硬貨の金種を検知する硬貨センサーと、
上記硬貨センサーによって検知された硬貨を計数する計数器と、
上記計数器によって計数された各種の硬貨枚数を記憶情報として記憶する記憶部と、
上記計数器によって計数された硬貨を収納する収納部を備え、かつ、つり銭を排出することができるつり銭払い出し装置と、
これらの機能を一括制御する制御部と、を備えた運賃箱であって、
上記記憶部は、上記記憶情報を、個々の乗客が硬貨を投入する順に対応して、連続して記憶していくことができることを特徴とする
【０００８】
また、請求項３に記載の発明の運賃箱は、請求項１若しくは２に記載の発明に加えて、
上記制御部は、上記記憶部に記憶された記憶情報から算出される金額と乗車運賃とを比較し、つり銭が必要な場合には、上記つり銭払い出し装置がつり銭を排出する場合において、
上記記憶部に個々に連続して記憶された記憶情報に対応して算出されたつり銭を、前回のつり銭の排出が終了したことを検知した後、一定時間経過後に、次の排出をすることを特徴とする。
【０００９】
また、請求項４に記載の発明の運賃箱は、請求項１、２若しくは３に記載の発明に加えて、
つり銭を個々に順次排出している途中において、つり銭用種銭が不足した場合には、一旦排出を中断し、つり銭用種銭が貯まった時点から、つり銭の排出を再開させることを特徴とする。
【００１０】
【発明の実施の形態】
図１に本発明の第１の実施例を示す。ここで、図８と同一の作用を及ぼす各構成部には同一の符号を記すこととする。本実施例の運賃箱１は、硬貨３および整理券４が投入される投入口２、投入口２に投入された整理券４と硬貨３とを分離する券銭分離器５、分離された硬貨３の金種を検知する硬貨センサー６、整理券４の番号を読み取る読み取り器９、硬貨センサー６によって検知された硬貨４を計数する計数器７、計数器７によって計数された各種の硬貨枚数および上記読み取り器９で読み取られた整理券４の番号を記憶情報として記憶する記憶部１２、上記計数器７によって計数された硬貨４を収納する収納部を備えており、かつ、つり銭を排出することができるつり銭払い出し装置８、およびこれらの機能を一括制御する制御部１０、から構成されている。
【００１１】
次に上記実施例の作動を図２の流れ図を用いて説明する。投入口２に硬貨３と整理券４とが投入されると（Ｓ１）、券銭分離器５で硬貨３と整理券４とが分離され（Ｓ２）、分離された硬貨３は硬貨センサー６で１０円、１００円などの金種が検知され、計数器７で投入された金額が計数され（Ｓ３）、投入された硬貨は、つり銭払い出し装置８内の金種別、種銭収納部に振り分け収納される。一方、券銭分離器５で分離された整理券４は読み取り器９で読取られる（Ｓ４）。読み取り器９で読取られた整理券４の番号と現在の停留所とから運賃が求められ、その運賃と計数器７によって計数された各種の硬貨枚数とを比較し（Ｓ５）、投入された硬貨３が既定の運賃以上であれば、計数器７によって計数された各種の硬貨枚数と、読み取り器９で読取られた整理券４の番号とが、記憶情報として記憶部１２に記憶される（Ｓ６）。投入された硬貨３が既定の運賃未満の場合、既定の運賃以上の硬貨が投入されるのを待つ。
【００１２】
制御部１０において、前記記憶情報と、現在の停留所とから運賃が求められ、その運賃と前記記憶情報から算出された投入金額とを比較する（Ｓ７）。つり銭が必要でない場合、すなわち、既定の運賃と同額の場合には、ここで終了となる。
【００１３】
既定の運賃以上の硬貨４が投入された場合、すなわち、つり銭を出す必要がある場合には、制御部１０は、つり銭払い出し装置８が前回のつり銭を排出しているかどうかを確認する（Ｓ８）。つり銭を排出していなければ、つり銭用の種銭が在るかどうかを確認し（Ｓ９）、種銭が在れば、一定時間（約３秒）経過（Ｓ１０）後、つり銭払い出し装置８内の種銭収納部から必要な枚数の硬貨を取り出し、受皿１１へ排出させる（Ｓ１１）。
【００１４】
もし、制御部１０が、つり銭払い出し装置８が前回のつり銭を排出していることを確認した場合には、前回のつり銭が排出されるのを待つ。前回のつり銭が排出された後は、上述のごとく作動する。
【００１５】
一方、今回の記憶情報が記憶部１２に記憶され（Ｓ６）、その後の一連の処理（Ｓ７〜Ｓ１１）が終了する前に、次の硬貨４が投入され、次回の作動が始まった場合（Ｓ１〜Ｓ６）には、今回の記憶部１２に記憶した記憶情報の後に、次の記憶情報を記憶部１０に記憶する。すなわち、図３に示されるように、硬貨枚数と整理券番号とからなる記憶情報が、個々の乗客による硬貨および整理券の投入順に従って、Ｎ１、Ｎ２、Ｎ３、・・・のごとく記憶される。今回の記憶情報による一連の処理（Ｓ７〜Ｓ１１）が終了次第、次の記憶情報による一連の処理（Ｓ７〜Ｓ１１）が引き続き作動する。
【００１６】
なお、上記一定時間経過（Ｓ１０）の経過時間として、前の乗客のつり銭と後の乗客とのつり銭とが混合することを防ぎ、かつ、乗客の流れが止まらない時間を、あらかじめ設定することができる。
【００１７】
また、連続でつり銭を排出している途中で種銭不足が発生したことを制御部１０が確認した場合（Ｓ９のＮＯの場合）には、一旦つり銭の排出を中断し、つり銭用種銭が貯まった時点から、つり銭の排出処理を再開させる。つり銭用種銭が貯まるまでの間、硬貨３および整理券４が個々に連続して投入される（Ｓ１）が、上述したように、各種の硬貨枚数と整理券４の番号とが、記憶情報として記憶部１２に投入順に記憶される（Ｓ６）ので（図３）、つり銭用種銭が貯まった時点からでも、その記憶部１２に記憶された順に従って、一定時間経過（Ｓ１０）後に、順次つり銭が正常に排出される（Ｓ１１）。
【００１８】
次に、均一運賃のワンマンバスのような整理券４を用いない場合の実施例について説明する。図４に本発明の第２の実施例を示す。また、図５に第３の実施例を示す。整理券４を用いないために、これらの実施例の構成は、図１の構成から、読み取り器９を除外した形となっている。また、図５のように券銭分離器５を除外することもできる。なお、券銭分離器９と硬貨センサー６とが一体として構成（券銭分離器９と硬貨センサー６とが分離できない）されている実例があり、その場合は図４の実施例に相当する。
【００１９】
図４および図５の実施例の作動について、図６の流れ図を用いて説明する。硬貨３が投入口２に投入され（Ｓ１）、券銭分離器５を通過した後（図３では存在しないのでこの部分は省略される）、硬貨センサー６で１０円、１００円などの金種が検知され、計数器７で投入された金額が計数され（Ｓ３）、つり銭払い出し装置８内の金種別、種銭収納部に振り分け収納される。既定の均一運賃と計数器７によって計数された各種の硬貨枚数とを比較し（Ｓ５）、投入された硬貨３が既定の運賃以上であれば、計数器７によって計数された各種の硬貨枚数が、記憶情報として記憶部１２に記憶される（Ｓ６）。投入された硬貨３が既定の均一運賃未満の場合、既定運賃以上の硬貨が投入されるのを待つ。その後、制御部１０は、既定の均一運賃と記憶情報から算出された投入金額とを比較する（Ｓ７）。その後は、上述した第１の実施例と同様に作動する。なお、記憶部１２には、各種の硬貨枚数が、個々の乗客の投入順に記憶情報として記憶される（図７）。
【００２０】
このように、整理券４を用いない場合には、第１の実施例と比較すると、読み取り機９または券銭分離機５を搭載しなくても作動可能となるので、運賃箱の構成が単純となる。また、上記記憶部に記憶される記憶情報として、上記計数器によって計数された各種の硬貨枚数のみを記憶し、整理券４の番号を記憶しなくてもよいので、少ない記憶容量で済ますことができる。
【００２１】
また、均一運賃のワンマンバスのような整理券４を用いない場合には、図１に記載の第１の実施例において、記憶部１２に記憶情報として記憶する整理券４の番号には、架空の固定情報を与えておき、この架空の固定情報から、制御部１０が一定の運賃であることを判断するようにしてもよい。あるいは、記憶部１２に記憶される記憶情報として、計数器７によって計数された各種の硬貨枚数のみを記憶させ、制御部１０によってあらかじめ均一の運賃であるように作動させてもよい。その場合、記憶部１２は整理券４の番号を記憶しなくてもよいので、少ない記憶容量で済ますことができる。
【００２２】
【発明の効果】
以上説明したように、請求項１に記載発明の運賃箱によれば、従来の運賃箱の構成に記憶部を付加設置し、投入された各種の硬貨枚数および整理券の番号を記憶情報として、個々の乗客が硬貨および整理券を投入する順に対応して、連続して記憶していくことができるようにしたので、制御部が順次その記憶情報を読みとって処理していくことにより、硬貨および整理券が個々に連続して投入されても、正確な金額のつり銭を排出することが可能となる。
【００２３】
また、請求項２に記載発明の運賃箱によれば、整理券を用いない場合には、請求項１に記載の読み取り器または券銭分離器を搭載しなくても作動可能であり、運賃箱の構成が単純となる。また、上記記憶部に記憶される記憶情報として、上記計数器によって計数された各種の硬貨枚数のみを記憶することになり、少ない記憶容量で済ますことができる。
【００２４】
また、請求項３に記載発明の運賃箱によれば、前回のつり銭の排出が終了したことを検知した後、一定時間経過後に、次の排出をすることとしたので、前の乗客のつり銭と後の乗客とのつり銭とが混合することが無くなる。また、前記一定時間を乗客の流れが止まらない時間としてあらかじめ設定しているので、硬貨および整理券の投入からつり銭排出に至る行程のスピードアップを図ることができ、乗降車に要する時間を短縮させることができる。
【００２５】
また、請求項４に記載発明の運賃箱によれば、つり銭用種銭が不足した場合には、一旦排出を中断し、つり銭用種銭が貯まった時点から、つり銭の排出を再開させるようにしても、上述に記載した請求項１、２若しくは３に発明の運賃箱の作用によって、正常なつり銭排出処理が可能となる。
【００２６】
以上に発明の運賃箱の作用によって、乗客の乗降車時に要していた時間が短縮されることで、バスラッシュ時の乗降客対応に要していた時間が短縮することでき、バス運行の遅れを軽減することが可能となる。
【図面の簡単な説明】
【図１】本発明の運賃箱の第１の実施例を示す。
【図２】第１の実施例における作動手順の流れ図を示す。
【図３】第１の実施例における記憶部の記憶情報の例を示す。
【図４】本発明の運賃箱の第２の実施例を示す。
【図５】本発明の運賃箱の第３の実施例を示す。
【図６】第２および第３の実施例における作動手順の流れ図を示す。
【図７】第２および第３の実施例における記憶部の記憶情報の例を示す。
【図８】従来の運賃箱を示す。
【符号の説明】
１    運賃箱
２    投入口
３    硬貨
４    整理券
５    券銭分離器
６    硬貨センサー
７    計数器
８    つり銭払い出し装置
９    読み取り機器
１０  制御部
１１  受け皿
１２  記憶部
【図１】
2005010869.tif 000003
【図２】
2005010869.tif 000004
【図３】
2005010869.tif 000005
【図４】
2005010869.tif 000006
【図５】
2005010869.tif 000007
【図６】
2005010869.tif 000008
【図７】
2005010869.tif 000009
【図８】
2005010869.tif 000010